(57)【要約】【課題】腹側部と背側部とを止着部材で係合させて着用する吸収性物品であって、該止着部材の止着位置によらず良好なフィット感、着用感が得られる吸収性物品を提供すること。【解決手段】表面シート２は、横中心線ＣＬｙの横方向Ｙの両側のうちの少なくとも一方において、物性が互いに異なる第１領域２１と第２領域２２とを有する。止着領域７に、止着部材６の止着位置を示す複数の表示部が外部から認識可能に設けられ、その複数の表示部は、横中心線ＣＬｙを跨ぐ第１表示部Ａと、該第１表示部Ａの横方向Ｙの外方に隣接する第２表示部Ｂとを含む。第１表示部Ａ及びそれを縦方向Ｘに仮想的に延長した場合の仮想延長領域の双方を含む、第１表示部対応領域７１に第１領域２１が存在し、第２表示部Ｂ及びそれを縦方向Ｘに仮想的に延長した場合の仮想延長領域の双方を含む、第２表示部対応領域７２に第２領域２２が存在する。【選択図】図４
2019198583.tif 000002
【特許請求の範囲】
【請求項１】
着用者の前後方向に対応する縦方向とこれに直交する横方向とを有し、吸収体と該吸収体よりも着用者の肌から近い位置に配された表面シートとを備え、着用者の腹側に配される腹側部及び背側に配される背側部並びにそれらの間に位置する股下部を縦方向に有する吸収性物品であって、
前記表面シートは、前記吸収性物品を横方向に二等分して縦方向に延びる横中心線を境界として該境界の横方向両側のうちの少なくとも一方において、物性が互いに異なる第１領域と第２領域とを有し、
前記背側部の縦方向に沿う両側縁部に止着部材が設けられていると共に、前記腹側部の非肌対向面に該止着部材が止着可能な止着領域が、前記横中心線を跨ぐように設けられており、
前記止着領域に、前記止着部材の止着位置を示す複数の表示部が外部から認識可能に設けられており、その複数の表示部は、前記横中心線を跨ぐ第１表示部と、該第１表示部の横方向外方に隣接する第２表示部とを含み、
前記第１表示部及び該第１表示部を縦方向に仮想的に延長した場合の仮想延長領域の双方を含む、第１表示部対応領域に、前記表面シートの第１領域が存在し、
前記第２表示部及び該第２表示部を縦方向に仮想的に延長した場合の仮想延長領域の双方を含む、第２表示部対応領域に、前記表面シートの第２領域が存在する吸収性物品。
【請求項２】
前記物性が、下記（１）〜（３）からなる群から選択される１種以上である請求項１に記載の吸収性物品。
（１）前記表面シートの肌対向面に着用者の肌側に向かって突出する凸部が複数形成されている場合における、該凸部の高さ
（２）前記表面シートの曲げ剛性
（３）前記表面シートの肌対向面のＭＭＤ値
【請求項３】
前記第２表示部対応領域に前記表面シートの第１領域が存在しない請求項１又は２に記載の吸収性物品。
【請求項４】
前記表面シートの第１領域が、前記第１表示部対応領域から前記第２表示部対応領域に延在している請求項１又は２に記載の吸収性物品。
【請求項５】
前記表面シートの第２領域が、前記第２表示部対応領域から前記第１表示部対応領域に延在している請求項１〜４のいずれか１項に記載の吸収性物品。
【請求項６】
前記表面シートの第２領域が、前記第２表示部対応領域から前記第１表示部対応領域とは反対側に延在している請求項１〜５のいずれか１項に記載の吸収性物品。
【請求項７】
前記止着領域における前記第２表示部の横方向外方に、第３表示部が外部から認識可能に設けられており、
前記第３表示部及び該第３表示部を縦方向に仮想的に延長した場合の仮想延長領域の双方を含む、第３表示部対応領域に、前記表面シートの第１領域及び第２領域が存在しない請求項１〜６のいずれか１項に記載の吸収性物品。
【請求項８】
前記表面シートは、前記第２領域の横方向外方に、該第２領域とは物性が異なる第３領域を有する請求項１〜７のいずれか１項に記載の吸収性物品。
【発明の詳細な説明】
【技術分野】
【０００１】
本発明は、背側の止着部材を腹側の止着領域に止着することで装着するタイプの吸収性物品に関する。
【背景技術】
【０００２】
吸収性物品の一種である使い捨ておむつとして、展開型使い捨ておむつが知られている。展開型使い捨ておむつは、一般に、着用者の腹側に配される腹側部及び背側に配される背側部並びにそれらの間に位置する股下部を有し、これを着用する際には、背側部のサイドフラップを着用者の腹側に引き延ばし、そのサイドフラップに設けられた止着部材を、腹側部の外表面の所定の止着領域に止着する。これにより、おむつを腰周りで適度に締め付け、ずれ落ちないように固定することができる。特許文献１には、止着部材の止着位置の目安となるターゲット印刷（例えば数字やイラスト等）が視認可能に施された展開型使い捨ておむつが記載されている。
【０００３】
また、表面シートと着用者の肌との接触面積を低減して通気性を向上させたり、肌へのべたつきを低減したりする目的で、吸収性物品の表面シートにおける着用者の肌側に向けられる肌対向面に、エンボス加工等により凹凸を形成する技術が知られている。例えば特許文献２には、肌対向面に凹凸が形成された表面シートと、低剛性領域及び高剛性領域を有する吸収体とを備えた展開型使い捨ておむつにおいて、該表面シートにおける該低剛性領域に対応する部分と該高剛性領域に対応する部分とで、該凹凸の形成パターンを異ならせることが記載されている。
【先行技術文献】
【特許文献】
【０００４】
【特許文献１】特開２０１５−２２３２５７号公報
【特許文献２】特開２０１７−１０４５０２号公報
【発明の概要】
【発明が解決しようとする課題】
【０００５】
腹側部と背側部とを止着部材で係合させて着用する吸収性物品、例えば展開型使い捨ておむつは、一般に、１種類の製品につき、新生児サイズ、Ｓサイズ、Ｍサイズ、Ｌサイズといった、シャーシサイズの異なる複数のタイプが用意されており、その複数のタイプの中から着用者のボディサイズ（胴回り周長）に適合するものを着用者あるいはその保護者などが選定する。また、このような吸収性物品の多くは、各シャーシサイズにおいて対応可能な着用者のボディサイズの範囲に一定の幅が持たせてあるため、例えば、着用者のボディサイズに適合するシャーシサイズとしてＭサイズを選定したとしても、その選定されたＭサイズの吸収性物品は、着用者の実際のボディサイズより小さい又は大きいサイズを包含し、着用即ジャストフィットというようにはなっていないが、吸収性物品の着用時に止着部材の止着位置を調整し、シャーシサイズ（吸収性物品の胴回り開口部の周長）を着用者の胴回り周長に合わせることでフィット感が得られるようになっている。
【０００６】
このように、市販の展開型使い捨ておむつには複数のシャーシサイズがあり、また、各シャーシサイズは着用者の実際のボディサイズを包含する一定の範囲を持っているため、同じ着用者においてもシャーシサイズが大きめか小さめかによって止着部材の止着位置が異なる。そして、その止着位置の違いに起因して、着用者の身体ラインに沿って形成されるおむつの胴回り開口部において、各部材の重なり具合やそれぞれに及ぶ力の掛かり具合が異なる結果、おむつのフィット感や着用感の低下に繋がるおそれがある。
【０００７】
例えば、着用者のボディサイズに対しておむつのシャーシサイズが大きめの場合に、そのおむつを着用者の身体にフィットさせようとすれば、止着部材の止着位置は通常、着用者の腹部の中央付近となるところ、その止着位置では、おむつの腹側部における縦方向に沿う側部がフリーな状態で肌と接する一方で、着用者の腹部の中央付近に対応するおむつの横方向中央部に比較的強い押し付け力が掛かるため、脇腹及びその近傍では肌とおむつとの間に隙間が生じ、腹部の中央付近では肌が強く締め付けられる。また逆に、着用者のボディサイズに対しておむつのシャーシサイズが小さめの場合、フィット感が得られる止着部材の止着位置は通常、着用者の腹部の中央部よりも横方向外方となるところ、その止着位置では、おむつの腹側部全体が止着部材によって横方向外方に引っ張られるため、腹部全体に比較的強い押し付け力が掛かって肌への負担となり、着用感が低下する。
【０００８】
市販の展開型使い捨ておむつは、着用者のボディサイズに対しておむつのシャーシサイズが大きめ又は小さめである場合に、その両者のサイズのずれを止着部材の止着位置で調整するように設計されているのであるから、止着位置によらずに良好なフィット感や着用感が得られるのが理想であるが、前記のように、従来のおむつはそのような理想形には到達していない。止着位置によらずに良好なフィット感や着用感が得られるおむつとするために、多様な止着位置に個別に対応した製品設計をすることが考えられるが、そのような製品設計は現実的ではない。
【０００９】
一方、市販の展開型使い捨ておむつには、特許文献１に記載されているように、止着部材の止着領域に止着位置の目安となる表示部が施されているものがあり、その表示部に止着部材を止着させることで、フィット性よくおむつを着用することができるようになっている。また、このような止着領域の表示部は、例えば、乳幼児を持つ母親が日常的におむつ交換をしている場合に、母親が乳幼児にフィットする止着位置を記憶しておくのにも便利である。こうした適切な止着位置を、おむつの着用者ではなく、おむつを着用者にはかせる者が記憶しておくと、おむつ交換などのおむつの着脱に関わる作業を手早く済ますのに役立ち得る。
【００１０】
しかしながら、着用しようとするおむつのシャーシサイズの範囲と着用者のボディサイズとのずれの程度如何によっては、止着領域の表示部に止着部材を止着させても良好なフィット感、着用感が得られない場合があり、また、表示部以外の部位に止着させた方が却ってフィット感等が良好になる場合があり得る。止着部材の止着位置によらず、着用者の胴回りに隙間を作らずに肌当たりよく密着し、肌への負担が少なく良好なフィット感、着用感が得られる吸収性物品は未だ提供されていない。
【００１１】
したがって本発明は、腹側部と背側部とを止着部材で係合させて着用する吸収性物品であって、該止着部材の止着位置によらず良好なフィット感、着用感が得られる吸収性物品を提供することに関する。
【課題を解決するための手段】
【００１２】
本発明は、着用者の前後方向に対応する縦方向とこれに直交する横方向とを有し、吸収体と該吸収体よりも着用者の肌から近い位置に配された表面シートとを備え、着用者の腹側に配される腹側部及び背側に配される背側部並びにそれらの間に位置する股下部を縦方向に有する吸収性物品であって、前記表面シートは、前記吸収性物品を横方向に二等分して縦方向に延びる横中心線を境界として該境界の横方向両側のうちの少なくとも一方において、物性が互いに異なる第１領域と第２領域とを有し、前記背側部の縦方向に沿う両側縁部に止着部材が設けられていると共に、前記腹側部の非肌対向面に該止着部材が止着可能な止着領域が、前記横中心線を跨ぐように設けられており、前記止着領域に、前記止着部材の止着位置を示す複数の表示部が外部から認識可能に設けられており、その複数の表示部は、前記横中心線を跨ぐ第１表示部と、該第１表示部の横方向外方に隣接する第２表示部とを含み、前記第１表示部及び該第１表示部を縦方向に仮想的に延長した場合の仮想延長領域の双方を含む、第１表示部対応領域に、前記表面シートの第１領域が存在し、前記第２表示部及び該第２表示部を縦方向に仮想的に延長した場合の仮想延長領域の双方を含む、第２表示部対応領域に、前記表面シートの第２領域が存在する吸収性物品を提供するものである。
【発明の効果】
【００１３】
本発明によれば、腹側部と背側部とを止着部材で係合させて着用する吸収性物品であって、該止着部材の止着位置によらず良好なフィット感、着用感が得られる吸収性物品が提供される。
【図面の簡単な説明】
【００１４】
【図１】図１は、本発明の吸収性物品の一実施形態である使い捨ておむつの模式的な斜視図である。
【図２】図２は、図１に示すおむつの肌対向面すなわち表面シート側を模式的に示す平面図であり、各部の弾性部材を伸張させて平面状に広げた展開状態における平面図である。
【図３】図３は、図２のＩ−Ｉ線断面を模式的に示す横断面図である。
【図４】図４は、図２におけるおむつの腹側部側を模式的に示す平面図であり、表面シートの各部と止着領域の各部との関係を示す図である。
【図５】図５は、本発明に係る表面シートに形成された開孔の断面を拡大して示す模式図である。
【図６】図６は、本発明の吸収性物品の他の実施形態の図４相当図である。
【図７】図７は、本発明の吸収性物品の更に他の実施形態の図４相当図である。
【図８】図８は、本発明の吸収性物品の更に他の実施形態の図４相当図である。
【図９】図９は、本発明の吸収性物品の更に他の実施形態の図４相当図である。
【発明を実施するための形態】
【００１５】
以下、本発明の吸収性物品をその好ましい実施形態に基づき図面を参照して説明する。図１〜図３には、本発明の吸収性物品の一実施形態である使い捨ておむつ１が示されている。おむつ１は、着用者の前後方向（着用者の腹側から股間部を介して背側に延びる方向）に対応する縦方向Ｘとこれに直交する横方向Ｙとを有し、また、着用者の腹側（前側）に配される腹側部Ｆ及び背側（後側）に配される背側部Ｒ並びにそれらの間に位置する股下部Ｍを縦方向Ｘに有する。股下部Ｍは、着用時に着用者の排泄部に対向配置される図示しない排泄部対向部を含んでいる。排泄部対向部は通常、おむつ１の縦方向Ｘの中央部よりもやや背側部Ｒ寄りに偏倚した位置にある。
【００１６】
おむつ１は、図２に示すように平面状に広げた状態での平面視において縦方向Ｘに長い縦長の形状を有し、その長手方向が縦方向Ｘに一致し、幅方向が横方向Ｙに一致している。おむつ１は、股下部Ｍを含む縦方向Ｘの中央部における、縦方向Ｘに沿う両側縁が内向きの円弧状に湾曲しており、図２に示す如き平面視において、縦方向Ｘの中央部が内方に括れた砂時計状をなしている。また本実施形態では、おむつ１は、該おむつ１を横方向Ｙに二等分して縦方向Ｘに延びる横中心線ＣＬｙを基準としてその両側が対称に形成されている。
【００１７】
おむつ１は、図２及び図３に示すように、吸収体４と、該吸収体４よりも着用者の肌から近い位置すなわち吸収体４の肌対向面側に配され、着用時に着用者の肌と接触し得る液透過性の表面シート２と、該吸収体４よりも着用者の肌から遠い位置すなわち吸収体４の非肌対向面側に配された液不透過性の裏面シート３とを具備する。なお、ここでいう、液不透過性とは、液難透過性も含む概念であり、裏面シート３が液を全く通さない場合の他、撥水性のシート等からなる場合等も含まれる。
【００１８】
本明細書において、「肌対向面」は、吸収性物品又はその構成部材（例えば表面シート２）における、吸収性物品の着用時に着用者の肌側に向けられる面、すなわち相対的に着用者の肌に近い側であり、「非肌対向面」は、吸収性物品又はその構成部材における、吸収性物品の着用時に肌側とは反対側、すなわち相対的に着用者の肌から遠い側に向けられる面である。なお、ここでいう「着用時」は、通常の適正な着用位置、すなわち当該吸収性物品の正しい着用位置が維持された状態を意味する。
【００１９】
図２に示すように、表面シート２は、吸収体４の肌対向面の全域を被覆している。本実施形態では、表面シート２の横方向の長さ（最大長さ）は吸収体４のそれと同じであり、表面シート２は吸収体４の縦方向Ｘに沿う両側縁４Ｓ，４Ｓ内に収まっている。一方、裏面シート３は、吸収体４の非肌対向面の全域を被覆し、更に吸収体４の両側縁４Ｓ，４Ｓから横方向Ｙの外方に延出し、後述するサイドシート５と共にサイドフラップ部を形成している。前記サイドフラップ部は、おむつ１における、吸収体４から横方向Ｙの外方に延出する部材からなる部分である。裏面シート３とサイドシート５とは、吸収体４の両側縁４Ｓ，４Ｓからの延出部において、接着剤、ヒートシール、超音波シール等の公知の接合手段によって互いに接合されている。表面シート２及び裏面シート３それぞれと吸収体４との間は接着剤によって接合されていてもよい。表面シート２、裏面シート３としては、この種の吸収性物品に従来使用されている各種のものを特に制限なく用いることができる。例えば、表面シート２としては、単層又は多層構造の不織布や、開孔フィルム等を用いることができる。裏面シート３としては、透湿性の樹脂フィルム等を用いることができる。
【００２０】
吸収体４は、該吸収体４の主体をなす液吸収性の吸収性コア４０と、該吸収性コア４０の外面を被覆する液透過性のコアラップシート４１とを含んで構成されている。吸収性コア４０は、図２に示す如き平面視において縦方向Ｘに長い形状をなし、吸収性コア４０の長手方向は、おむつ１の縦方向Ｘに一致し、該長手方向と直交する吸収性コア４０の幅方向は、おむつ１の横方向Ｙに一致している。吸収性コア４０とコアラップシート４１との間は、ホットメルト型接着剤等の接着剤により接合されていてもよい。吸収性コア４０は、例えばパルプ繊維等の吸液性繊維の積繊体や、吸液性繊維と吸水性ポリマーとの混合積繊体や、吸水性ポリマーのみの積層体から構成することができる。吸液性繊維としては、例えば、パルプ繊維、レーヨン繊維、コットン繊維、酢酸セルロース等のセルロース系の親水性繊維が挙げられ、また、セルロース系の親水性繊維以外に、ポリオレフィン、ポリエステル、ポリアミド等の合成樹脂からなる繊維を界面活性剤等により親水化したものを用いることもできる。コアラップシート４１としては、例えば、ティッシュペーパーや透水性の不織布が用いられる。コアラップシート４１は、図２に示すように１枚で吸収性コア４０を被覆してもよく、図示していないが、２枚以上を組み合わせて吸収性コア４０を被覆してもよい。また、吸収体４はコアラップシート４１を含んでいなくてもよい。
【００２１】
図２及び図３に示すように、おむつ１の肌対向面における縦方向Ｘの両側には、弾性部材１１を有するサイドシート（防漏カフ形成用シート）５が配されており、その弾性部材１１の収縮により、着用状態における股下部Ｍに、着用者の肌側に向かって起立する一対の防漏カフが形成される。また、股下部Ｍにおける着用者の脚周りに配される部位には、レッグ部弾性部材１２が伸長状態で配されており、その収縮により、着用状態における股下部Ｍに着用者の脚周りへのフィット性を向上させるレッグギャザーが形成される。
【００２２】
おむつ１はいわゆる展開型の使い捨ておむつであり、図２に示すように、おむつ１の背側部Ｒの縦方向Ｘに沿う両側縁部に止着部材６が設けられていると共に、腹側部Ｆの非肌対向面に止着部材６が止着可能な止着領域７が、横中心線ＣＬｙを跨ぐように設けられている。おむつ１を着用するには、腹側部Ｆと背側部Ｒとを止着部材６で係合させる、具体的には、止着部材６を止着領域７に止着させればよい。止着部材６には、機械的面ファスナーのオス部材からなる止着部６１が取り付けられている。止着領域７は、腹側部Ｆの非肌対向面を形成する裏面シート３の非肌対向面に、機械的面ファスナーのメス部材を公知の接合手段、例えば接着剤やヒートシール等で接合固定して形成されており、止着部材６の止着部６１を着脱自在に止着可能になされている。なお、止着部６１は機械的面ファスナーのオス部材に限定されず、例えば粘着剤でもよい。
【００２３】
図４に示すように、止着領域７には、止着部材６の止着位置を示す複数の表示部が外部から認識可能に設けられており、その複数の表示部は、横中心線ＣＬｙを跨ぐ第１表示部Ａと、該第１表示部Ａの横方向Ｙの外方に隣接する第２表示部Ｂとを含む。本実施形態では更に、止着領域７における第２表示部Ｂの横方向Ｙの外方に、第３表示部Ｃが外部から認識可能に設けられている。本実施形態では、止着領域７の各表示部の表面にＡ、Ｂ又はＣの文字が目視で視認可能に印刷されており、それによって各表示部を外部から認識可能になされている。なお、本発明において、止着領域の表示部は、このような文字や図柄などの情報の印刷物（目視で認識可能な表示部）に限定されず、本発明の趣旨を逸脱しない範囲で種々の手段を採用することができ、例えば、手指で触れて認識できるような、触覚に訴える表示部でもよい。
【００２４】
本実施形態では、止着領域７は平面視長方形形状をなし、その長手方向を横方向Ｙに一致させて、腹側部Ｆの裏面シート３の外表面すなわち非肌対向面の横方向Ｙの中央部に固定されている。そして、その止着領域７の長手方向（横方向Ｙ）の中央部に第１表示部Ａが位置し、該第１表示部Ａの横方向Ｙの両外方に一対の第２表示部Ｂが位置し、該一対の第２表示部Ｂの横方向Ｙの両外方に一対の第３表示部Ｃが位置している。
【００２５】
止着領域７の表示部Ａ〜Ｃは、おむつ１の着用時に良好なフィット感、着用感が得られるようにするための止着部材６の適切な止着位置の目安となるものである。すなわち、おむつ１は複数のボディサイズに対応した設計となっており、止着部材６を表示部Ａ〜Ｃのいずれかに止着させることで、着用者のボディサイズ（胴回り周長）に適合し、着用者の胴回りに隙間を作らずに肌当たりよく密着し、肌への負担が少なく良好なフィット感、着用感が得られるようになっている。ただし、これが実現するのは、着用者のボディサイズが、おむつ１が対応可能ないくつかのボディサイズに適合する場合であり、両者の乖離が大きい場合には、前述したとおり課題がある。すなわち例えば、着用者のボディサイズがおむつ１の対応ボディサイズを大きく上回っている場合には、止着部材６の止着位置が、腹側部Ｆの横方向Ｙの中央部（着用者の腹部の中央付近に対応する部分）となるため、該中央部では、肌が強く締め付けられて着用感に悪影響を及ぼすおそれがあり、また、該中央部を挟んで両側部（脇腹及びその近傍に対応する部分）では、肌とおむつ１との間に隙間が生じてフィット感に悪影響を及ぼすおそれがある。また逆に、着用者のボディサイズがおむつ１の対応ボディサイズを大きく下回っている場合には、止着部材６の止着位置が、腹側部Ｆの横方向Ｙの両側部（脇腹及びその近傍に対応する部分）となるため、腹側部Ｆの全体が一対の止着部材６，６によって横方向Ｙの外方に引っ張られ、そのため腹部が全体的に圧迫されて着用感に悪影響を及ぼすおそれがある。
【００２６】
このような、着用者の実際のボディサイズと吸収性物品の対応ボディサイズとの乖離が比較的大きくなる事態はしばしば起こることであり、吸収性物品の製造会社などが推奨する止着位置（おむつ１においては止着領域７の表示部Ａ〜Ｃ）以外の位置にやむなく止着部材を止着させた場合でも、良好なフィット感、着用感が得られる吸収性物品が要望されている。
【００２７】
斯かる要望に応えるべく、本発明者らが種々検討した結果、吸収性物品が具備する表面シートの物性を部分的に異ならせることが有効との知見を得、更に検討した結果、表面シートの横方向中央部の厚み（見かけ厚み）を、同方向の両側部との比較において高くすることが有効との知見を得た。また、別の知見として、表面シートの横方向中央部の剛性を、同方向の両側部との比較において低くする、すなわち表面シートの横方向中央部は低剛性で柔軟性のある部分とし、表面シートの横方向両側部は高剛性で比較的硬い部分とすることが有効との知見を得た。
【００２８】
本発明の吸収性物品は斯かる知見に基づきなされたもので、図４に示すように、表面シート２が、おむつ１の横中心線ＣＬｙを境界として該境界の横方向Ｙの両側のうちの少なくとも一方において、物性が互いに異なる第１領域２１と第２領域２２とを有している。本実施形態では、おむつ１の横中心線ＣＬｙを挟んで横方向Ｙの両側それぞれにおいて、表面シート２が第１領域２１と第２領域２２とを有している。そして、第１表示部Ａ及び該第１表示部Ａを縦方向Ｘに仮想的に延長した場合の仮想延長領域の双方を含む、第１表示部対応領域７１に、表面シート２の第１領域２１が存在し、また、第２表示部Ｂ及び該第２表示部Ｂを縦方向Ｘに仮想的に延長した場合の仮想延長領域の双方を含む、第２表示部対応領域７２に、表面シート２の第２領域２２が存在する。
【００２９】
本実施形態のおむつ１では、図４に示すように、第１領域２１は、表面シート２における、前記防漏カフ（サイドシート５）を横方向Ｙの内側に倒伏させたときに該防漏カフと重ならない部分にのみ配され、横方向Ｙの内側に倒伏された該防漏カフと重なる部分には配されていない。第２領域２２は、表面シート２における横方向Ｙの内側に倒伏された前記防漏カフと重なる部分に配されている。
【００３０】
また本実施形態のおむつ１では、図４に示すように、表面シート２の第１領域２１は、第１表示部対応領域７１にのみ存在し、第２表示部対応領域７２には存在していない。また、表面シート２の第２領域２２は、第２表示部対応領域７２にのみ存在し、第１表示部対応領域７１には存在していない。つまり、止着領域７における第１表示部Ａと第２表示部Ｂとの境界と、表面シート２における第１領域２１と第２領域２２との境界が一致している。
【００３１】
また本実施形態のおむつ１では、図４に示すように、第３表示部Ｃ及び該第３表示部Ｃを縦方向Ｘに仮想的に延長した場合の仮想延長領域の双方を含む、第３表示部対応領域７３には、表面シート２が存在しておらず、したがって第１領域２１及び第２領域２２は存在していない。
【００３２】
前述したように表面シート２において、第１領域２１と第２領域２２とでは物性が異なる。具体的には図４に示すように、表面シート２の肌対向面には、着用者の肌側に向かって突出する凸部２３Ｌ，２３Ｓが複数散在すると共に、各凸部２３Ｌ，２３Ｓの周辺に凹部２４が存在しているところ、第１領域２１と第２領域２２とでは凸部２３Ｌ，２３Ｓの高さが異なっており、斯かる「凸部の高さ」が前記物性の１つである。すなわち、おむつ１の横方向Ｙの中央部に位置する第１表示部対応領域７１に存在する凸部２３Ｌは、該領域７１の横方向Ｙの外方に位置する第２表示部対応領域７２に存在する凸部２３Ｓに比して、「高さ」すなわち「当該凸部２３Ｌ，２３Ｓの周辺の非凸部（図示の形態では凹部２４）からの突出高さ」が高い。
【００３３】
このように、肌対向面に凹凸が形成されている表面シート２において、横方向Ｙの中央部の第１表示部Ａと重なる第１領域２１の凸部２３Ｌと、該第１表示部Ａの両側に位置する第２表示部Ｂと重なる第２領域２２の凸部２３Ｓとで、高さに関して、凸部２３Ｌ＞凸部２３Ｓなる大小関係を成立させることで、例えば、着用者のボディサイズがおむつ１の対応ボディサイズを大きく上回っている場合において、止着部材６の止着位置が慣例に従って、腹側部Ｆの横方向Ｙの中央部とされた場合には、相対的に突出高さの高い凸部２３Ｌを有する表面シート２の第１領域２１が、着用者の肌に強く押し付けられるようになるため、斯かる場合に従来生じていた、脇腹及びその近傍の肌とおむつ１との間の隙間が形成され難く、胴回り部でのおむつ１の密着性が向上し得る。また例えば、着用者のボディサイズがおむつ１の対応ボディサイズを大きく下回っている場合において、止着部材６の止着位置が慣例に従って、腹側部Ｆの横方向Ｙの両側部とされた場合には、相対的に突出高さの低い凸部２３Ｓを有する表面シート２の第２領域２２が、着用者の肌に強く押し付けられるようになるが、凸部２３Ｓは、凸部２３Ｌに比して高さが低い分、硬くて変形しにくいため、このように肌に強く押し付けられても変形し難く、そのため、おむつ１と着用者の肌との間に隙間を作らないレベルの押し付け力を、第１領域２１にまで伝達させることができ、結果として、胴回り部における表面シート２全体が肌に密着し、それによって漏れが低減される。
【００３４】
つまり、着用者のボディサイズに対しておむつ１のサイズが大きめの場合には、止着部材６の止着領域７における止着位置は通常、横中心線ＣＬｙ及びその近傍を含む第１表示部Ａとなるため、止着時には第１表示部Ａに比較的大きな力が掛かるが、第１表示部Ａよりも横方向Ｙの外方に位置する第２表示部Ｂにはそれほど大きな力は掛からない。そこで本実施形態のおむつ１では、このような、止着部材６を止着領域７に止着させたときの力の掛かり具合を考慮して、着用者の肌に直接当接する表面シート２の肌対向面の物性、具体的には凸部２３Ｌ，２３Ｓの高さ（表面シートの見かけ厚み）を、第１表示部Ａに対応する第１表示部対応領域７１と、第２表示部Ｂに対応する第２表示部対応領域７２とで前記のように異ならせ、斯かる力の掛かり具合の均一化を図った。また、着用者のボディサイズに対しておむつ１のサイズが小さめの場合には、止着部材６の止着領域７における止着位置は通常、横中心線ＣＬｙから横方向Ｙの外方に比較的離れた位置にある第２表示部Ｂとなるため、止着時には第２表示部Ｂから第１表示部Ａにかけて全体的に強い力が掛かるが、この場合に対しても、表面シート２の肌対向面の凸部２３Ｌ，２３Ｓの高さ（表面シートの見かけ厚み）を前記のように異ならせることで、腹部への圧迫感が和らぎ、肌への負担を軽減することができる。
【００３５】
前述した作用効果をより確実に奏させるようにする観点から、表面シート２の肌対向面の全面積に占める、第１領域２１の面積の占める割合（第１領域２１の面積率）は、好ましくは３０％以上、更に好ましくは４０％以上、そして、好ましくは７０％以下、更に好ましくは６０％以下である。また、表面シート２の肌対向面の全面積に占める、第２領域２２の面積の占める割合（第２領域２２の面積率）は、好ましくは３０％以上、更に好ましくは４０％以上、そして、好ましくは７０％以下、更に好ましくは６０％以下である。なお、第２領域２２の面積率に関し、これを算出するのに必要な「第２領域２２の面積」は、例えば図４に示すように、表面シート２の肌対向面に第２領域２２が複数存在する（図４では２つ存在する）場合は、その複数の第２領域２２それぞれの面積の合計を意味する。第１領域２１の面積率を算出するのに必要な「第１領域２１の面積」についても同様である。
【００３６】
本発明で着目している表面シートの前記「物性」には、前記の「凸部の高さ」以外にも種々のものがある。ここでいう「物性」とは、表面シートの示す機械的性質（力学的性質）等の物理的性質を広く包含し、前記の凸部の高さのように、表面シートの外形に現れる性質の他、表面シートの外形には現れない性質、すなわち、表面シートを一見しただけでは第１領域と第２領域との区別がつかないような性質を含む。
【００３７】
本発明で着目している表面シートの前記「物性」、すなわち表面シート２の第１領域２１と第２領域２２とで相違する物性として、下記（１）〜（３）を例示できる。表面シート２の第１領域２１と第２領域２２とは、下記（１）〜（３）からなる群から選択される１種又は２種以上の物性において相違し得る。
【００３８】
（１）表面シート２の肌対向面に着用者の肌側に向かって突出する凸部２３Ｌ，２３Ｓが複数形成されている場合における、該凸部２３Ｌ，２３Ｓの高さ
（２）表面シート２の曲げ剛性
（３）表面シート２の肌対向面のＭＭＤ値
【００３９】
前述した本発明の所定の効果をより確実に奏させるようにする観点から、おむつ１の横方向Ｙの中央部に位置する第１表示部対応領域７１に存する、表面シート２の第１領域２１は、おむつ１の横方向Ｙの両側部に位置する第２表示部対応領域７２に存する、表面シート２の第２領域２２との比較において、凸部の高さが高い（見かけ厚みが大きい）、嵩高い、柔らかい、潰れやすく変形しやすい、フカフカしている、滑りやすいといった特徴を有することが好ましい。逆に言えば、表面シート２の第２領域２２は、表面シート２の第１領域２１との比較において、凸部の高さが低い（見かけ厚みが小さい）、硬い、潰れにくく変形し難い、滑りにくいといった特徴を有することが好ましい。以上を考慮すると、前記（１）〜（３）はそれぞれ下記のように設定することが好ましい。
【００４０】
前記（１）に関し、第１領域２１の凸部２３Ｌの高さ２３ＬＨ（図３参照）と第２領域２２の凸部２３Ｓの高さ２３ＳＨ（図３参照）との比率は、「高さ２３ＬＨ＞高さ２３ＳＨ」を前提として、高さ２３ＬＨ／高さ２３ＳＨとして、好ましくは１．１以上、更に好ましくは１．３以上、そして、好ましくは５．０以下、更に好ましくは２．０以下である。
凸部２３Ｌの高さ２３ＬＨは、好ましくは２．０ｍｍ以上、更に好ましくは２．５ｍｍ以上、そして、好ましくは１０ｍｍ以下、更に好ましくは６．０ｍｍ以下である。
凸部２３Ｓの高さ２３ＳＨは、好ましくは１．５ｍｍ以上、更に好ましくは２．０ｍｍ以上、そして、好ましくは１０ｍｍ以下、更に好ましくは６．０ｍｍ以下である。
表面シート２の凸部２３Ｌ，２３Ｓの高さ（突出高さ）は以下の方法により測定される。前記（１）に関して、表面シート２の各領域の凸部の突出高さを前記のように設定することで、止着部材６の止着領域７における止着位置にかかわらず、おむつ１の着用者の肌への負担を高めずに良好なフィット感が得られ、おむつ１の胴回り部と肌との隙間が低減されるという効果がより一層確実に奏され得る。
【００４１】
＜表面シートの凸部の高さの測定方法＞
測定対象の表面シートをその厚み方向に沿って鋭利なカミソリで切断し、その切断面を観察して、該表面シートの無荷重下での肌対向面における凸部の高さを測定する。例えば、図３に示す如き無荷重下での表面シート２の切断面において、測定対象の１個の凸部２３Ｌの輪郭線の両端（凸部２３Ｌの付け根）どうしを結ぶ仮想直線ＶＬをひき、該仮想直線ＶＬと凸部２３Ｌの頂部との最短距離を測定し、その測定値を凸部２３Ｌの高さとする。凸部２３Ｓの高さ２３ＳＨについても同様に測定する。表面シートの切断面の観察手段は特に制限されず、肉眼でもよく、光学顕微鏡を用いてもよい。光学顕微鏡を用いる場合は、例えばマイクロスコープ（ＫＥＹＥＣＥ社製ＶＨＸ−１００）用いて２０〜１００倍の倍率で観察することができる。また、測定対象の表面シートに長時間外力が作用していた場合、具体的には例えば、使い捨ておむつなどの吸収性物品に組み込まれ、該吸収性物品がパッケージに圧縮充填された状態で保管されていた場合には、その外力の影響を排除するために、該吸収性物品から該表面シートを取り出し、常温常圧の環境で１日以上放置したものを、前記のようにカミソリで切断する。
【００４２】
前記（２）に関し、第１領域２１の曲げ剛性２１ｂと第２領域２２の曲げ剛性２２ｂとの比率は、「曲げ剛性２１ｂ＜曲げ剛性２２ｂ」を前提として、曲げ剛性２１ｂ／曲げ剛性２２ｂとして、好ましくは０．２以上、更に好ましくは０．３以上、そして、好ましくは０．９以下、更に好ましくは０．８以下である。
第１領域２１の曲げ剛性２１ｂは、好ましくは１０ｃＮ以上、更に好ましくは１５ｃＮ以上、そして、好ましくは５０ｃＮ以下、更に好ましくは４０ｃＮ以下である。
第２領域２２の曲げ剛性２２ｂは、好ましくは１５ｃＮ以上、更に好ましくは２０ｃＮ以上、そして、好ましくは７０ｃＮ以下、更に好ましくは５０ｃＮ以下である。
表面シート２の曲げ剛性は以下の方法により測定される。曲げ剛性の測定値が小さいほど、測定対象物は剛性が低く屈曲しやすいと評価できる。したがって前記（２）に関して、表面シート２の各領域の曲げ剛性を前記のように設定することで、止着部材６の止着領域７における止着位置にかかわらず、おむつ１の着用者の肌への負担を高めずに良好なフィット感が得られ、おむつ１の胴回り部と肌との隙間が低減されるという効果がより一層確実に奏され得る。
【００４３】
＜表面シートの曲げ剛性の測定方法＞
リングクラッシュ法ＪＩＳ Ｐ８１２６に準ずる。具体的には、表面シートから所定の測定対象部位を切り出して測定サンプルとする。例えば、表面シート２の第１領域２１及び第２領域２２それぞれから、縦方向Ｘの長さ３０ｍｍ、横方向Ｙの長さ１１０ｍｍの長方形形状部分を切り出して試験片とし、その試験片を、該試験片の肌対向面を外側にして該試験片の長手方向に円筒状に丸め、該試験片の長手方向の一端と他端とを超音波シールで止着して、高さ３０ｍｍの円筒状の測定サンプルを作製する。作製した円筒状の測定サンプルを、その軸方向を鉛直方向に一致させるように立たせ、圧縮試験機を用いて該測定サンプルをその上端側から軸方向に圧縮速度１０ｍｍ／ｍｉｎで圧縮し、その圧縮時に示す最大荷重を記録する。１つの測定対象部位につき５つの測定サンプルを用意してそれぞれの最大荷重を測定し、それらの平均値を当該測定対象部位（例えば、第１領域２１又は第２領域２２）の曲げ剛性値とする。
【００４４】
前記（３）に関し、第１領域２１の肌対向面のＭＭＤ値２１ｃと第２領域２２の肌対向面のＭＭＤ値２２ｃとの比率は、「ＭＭＤ値２１ｃ＜ＭＭＤ値２２ｃ」を前提として、摩擦係数２１ｃ／摩擦係数２２ｃとして、好ましくは０．２以上、更に好ましくは０．２５以上、そして、好ましくは０．９以下、更に好ましくは０．８以下である。
第１領域２１の肌対向面のＭＭＤ値２１ｃは、好ましくは０．００６０以上、更に好ましくは０．００７０以上、そして、好ましくは０．００９０以下、更に好ましくは０．００８０以下である。
第２領域２２の肌対向面のＭＭＤ値２２ｃは、好ましくは０．００６０以上、更に好ましくは０．００７０以上、そして、好ましくは０．０１０以下、更に好ましくは０．００９０以下である。
表面シート２の肌対向面のＭＭＤ値は以下の方法により測定される。
【００４５】
＜表面シートの肌対向面のＭＭＤ値の測定方法＞
市販のＭＭＤ測定機器（カトーテック株式会社製、ＫＥＳ−ＦＢ４表面試験機）を用い、測定対象面すなわち表面シートの肌対向面（凸部の形成面）について、該ＭＭＤ測定機器に付属の摩擦子を用いて、ＳＥＮＳ：２×５、荷重５０ｇｆ／ｃｍ２の条件にて、該表面シートを具備する吸収性物品の縦方向（着用者の前後方向に相当する方向）におけるＭＭＤ値を測定する。
【００４６】
ＭＭＤ値は測定対象物の表面粗さの指標となるもので、ＭＭＤ値が小さいほど、測定対象物の表面が滑らかであると評価できる。そして、表面シート２の肌対向面のＭＭＤ値が比較的小さい場合は、該肌対向面は滑らかであっておむつ１の着用者の肌との摩擦が少なく、該ＭＭＤ値が比較的大きい場合は、該肌対向面はざらついていておむつ１の着用者の肌との摩擦が比較的大きくなる。したがって、前記（３）に関して、ＭＭＤ値を前記のように設定することで、表面シート２の肌対向面に、肌との摩擦が比較的少なくて滑りやすい第１領域２１と、肌との摩擦が比較的大きくて滑りにくい第２領域２２とが形成され、それによって、止着部材６の止着領域７における止着位置にかかわらず、おむつ１の着用者の肌への負担を高めずに良好なフィット感、着用感が得られ、おむつ１の胴回り部と肌との隙間が低減されるという効果がより一層確実に奏され得る。
【００４７】
表面シート２には、該表面シート２を厚み方向に貫通する開孔が形成されていてもよい。表面シート２にこのような開孔が形成されていると、通気性、液透過性などが向上し得る。図５には、表面シート２に形成された開孔の一例としての開孔２５が示されている。開孔２５は、表面シート２の一面から厚み方向外方に向けて延出する延出部（開孔壁延出部）２５Ｅを有する立体開孔である。延出部２５Ｅは、典型的には、表面シート２の非肌対向面に形成され、その場合おむつ１においては、吸収体４に向かって延出する。延出部２５Ｅは、厚み方向外方に向かうに従って（おむつ１に適用された場合には、吸収体４に向かうに従って）漸次縮径する筒状形状をなしている。表面シート２にこのような立体開孔２５が形成されていることで、毛管力が作用しやすくなり、表面シート２の肌対向面上に存する尿等の体液を吸収体４へと移行させやすくなり、また、液戻りが生じにくくなる。また特に、延出部２５Ｅが表面シート２の非肌対向面に形成され、着用者の肌側とは反対側に向けて延出していると、低粘度排出物（例えば軟便）の透過性が向上する。
【００４８】
表面シート２には、周辺部に比して密度の高い高密度部が形成されていてもよい。すなわち表面シート２には、高密度部と、該高密度部よりも密度の低い低密度部とが混在していてもよい。表面シート２に高密度部が形成されていると、体液の吸収体４への移行がより一層スムーズになる。表面シート２における「周辺部に比して密度の高い高密度部」は、典型的には、表面シート２をその一面側から圧搾することによって形成される部分（圧搾部）であり、該高密度部の周囲（非圧搾部）は、該高密度部に比して密度の低い低密度部である。前記高密度部を形成するために圧搾は、表面シート２の構成繊維の溶融を伴うものでもよく、該溶融を伴わないものすなわち表面シート２の圧縮だけでもよい。前者の圧搾としては、例えば、熱を伴うエンボス加工、超音波エンボス等が挙げられる。表面シート２の構成繊維の溶融を伴う圧搾によって形成された前記高密度部においては、その構成繊維どうしが熱融着し、溶融の程度によっては、構成繊維が本来の繊維状の形態を失ってフィルム化している場合があり得る。
【００４９】
図６〜図９には、本発明の吸収性物品の他の実施形態の要部が示されている。後述する他の実施形態については、前記実施形態と異なる構成部分を主として説明し、同様の構成部分は同一の符号を付して説明を省略する。後述する他の実施形態について特に説明しない構成部分は、前記実施形態のおむつ１についての説明が適宜適用される。
【００５０】
図６に示すおむつ１Ａにおいては、第１領域２１が、表面シート２における、前記防漏カフ（サイドシート５）を横方向Ｙの内側に倒伏させたときに該防漏カフと重ならない部分から横方向Ｙの両外方に延出し、該防漏カフと重なる部分にも配されている。また、表面シート２は、吸収体４の両側縁４Ｓ，４Ｓから横方向Ｙの外方に延出しており、第２領域２２が、吸収体４の側縁４Ｓを横方向Ｙに跨いで配されている。おむつ１Ａによってもおむつ１と同様の効果が奏される。
【００５１】
図７に示すおむつ１Ｂは、止着領域７の止着部Ａ〜Ｃの配置の点で、図６に示すおむつ１Ａと異なる。すなわちおむつ１Ｂにおいては、表面シート２の第１領域２１が、第１表示部対応領域７１から第２表示部対応領域７２に延在しており、つまり、第２表示部対応領域７２に第１領域２１が存在している。また、おむつ１Ｂにおいては、表面シート２の第２領域２２が、第２表示部対応領域７２から第３表示部対応領域７３に延在しており、つまり、第１表示部対応領域７１とは反対側（第３表示部対応領域７３）に第２領域２２が存在している。おむつ１Ｂによってもおむつ１と同様の効果が奏される。
【００５２】
図８に示すおむつ１Ｃにおいては、第２領域２２が、表面シート２における、前記防漏カフ（サイドシート５）を横方向Ｙの内側に倒伏させたときに該防漏カフと重なる部分から横方向Ｙの内方に延出し、該防漏カフと重ならない部分にも配されている。また、第２領域２２は、第２表示部対応領域７２から第１表示部対応領域７１に延在しており、つまり、第１表示部対応領域７１に第２領域２２が存在している。おむつ１Ｃによってもおむつ１と同様の効果が奏される。
【００５３】
図９に示すおむつ１Ｄは、表面シート２の第２領域２２が、第２表示部対応領域７２から第１表示部対応領域７１とは反対側すなわち第３表示部対応領域７３に延在している点以外は、図８に示すおむつ１Ｃと同じである。おむつ１Ｄによってもおむつ１と同様の効果が奏される。
【００５４】
以上、本発明について説明したが、本発明は前述した実施形態に制限されず、本発明の趣旨を逸脱しない範囲で適宜変更可能である。前述した一の実施形態のみが有する部分は、すべて適宜相互に利用できる。
例えば、表面シート２は、第２領域２２の横方向Ｙの外方（第１領域２１側とは反対側）に、該第２領域２２とは物性が異なる第３領域を有していてもよい。より具体的には例えば、図４に示すおむつ１において、第３表示部対応領域７３に、第２領域２２のみならず第１領域２１とも物性が異なる前記第３領域が存在していてもよい。
【００５５】
本発明の吸収性物品は、人体から排出される体液（尿、経血、軟便、汗等）の吸収に用いられる物品を広く包含し、その適用範囲は展開型使い捨ておむつに限定されない。
【符号の説明】
【００５６】
１，１Ａ，１Ｂ，１Ｃ，１Ｄ  使い捨ておむつ（吸収性物品）
Ｆ  腹側部
Ｍ  股下部
Ｒ  背側部
２  表面シート
２１  第１領域
２２  第２領域
２３Ｌ，２３Ｓ  凸部
２４  凹部
２５  開孔
２５Ｅ  延出部
３  裏面シート
４  吸収体
５  サイドシート
６  止着部材
７  止着領域
７１  第１表示部対応領域
７２  第２表示部対応領域
７３  第３表示部対応領域
Ｘ  縦方向
Ｙ  横方向
【図１】
2019198583.tif 000003
【図２】
2019198583.tif 000004
【図３】
2019198583.tif 000005
【図４】
2019198583.tif 000006
【図５】
2019198583.tif 000007
【図６】
2019198583.tif 000008
【図７】
2019198583.tif 000009
【図８】
2019198583.tif 000010
【図９】
2019198583.tif 000011